(57)【要約】【課題】主幹ブレーカに接続された主幹母線からそれぞれ分岐ブレーカを介して分岐され、負荷回路に接続される分岐母線を複数有する分電盤において、分岐母線の電流を個々に監視するための分電盤の電流測定装置を提供する。【解決手段】複数の分岐母線のそれぞれに負荷状態を検出する電流検出器と、これら複数の電流検出器の出力信号を同期信号に同期して順次１個ずつ選択して取り出す出力選択回路と、この出力選択回路から取り出されたアナログ出力信号をディジタル信号に変換するＡ／Ｄ変換回路と、このＡ／Ｄ変換回路のディジタル出力信号を前記同期信号に同期して読み込み各分岐母線に対応した記憶領域に格納するデータ処理装置とを設ける。【選択図】　　　　図２
2004120825.tif 000002
【特許請求の範囲】
【請求項１】
主幹ブレーカを介して系統の電源に接続された主幹母線とこの主幹母線からそれぞれ分岐ブレーカを介して負荷回路への給電を行う複数の分岐母線を備えた分電盤において、前記複数の分岐母線のそれぞれに負荷状態を検出する電流検出器と、これら複数の電流検出器の出力信号を同期信号に同期して順次１個ずつ選択して取り出す出力選択回路と、この出力選択回路から取り出されたアナログ出力信号をディジタル信号に変換するＡ／Ｄ変換回路と、このＡ／Ｄ変換回路のディジタル出力信号を前記同期信号に同期して読み込み各分岐母線に対応した記憶領域に格納するデータ処理装置とを備えたことを特徴とする分電盤の電流測定装置。
【発明の詳細な説明】
【０００１】
【発明の属する技術分野】
この発明は、主幹ブレーカを介して系統の電源に接続された主幹母線とこの主幹母線からそれぞれ分岐ブレーカを介して負荷回路への給電を行う複数の分岐母線を備えた分電盤において、各分岐母線の電流を個々に監視するための電流測定装置に関する。
【０００２】
【従来の技術】
特にビル等の電力供給用に使用される分電盤においては、主幹母線からそれぞれ分岐ブレーカを介して各種の負荷回路に給電する分岐母線が多数設けられている。各分岐母線の負荷が過大となって設定電流を超過すると、分岐ブレーカがその分岐母線から負荷回路への通電を遮断して当該負荷回路を過負荷から保護する。
【０００３】
しかしながら、このような分電盤において、従来は、分岐母線の電流は、分岐ブレーカによって監視されるのみで、これを表示する手段を持っていないため、分岐母線の電流が過電流（過負荷）となると、何の予告もなく突然に分岐ブレーカによって遮断され、給電が停止されることになる。分岐母線にパソナルコンピュータのような情報機器が接続されている場合、このような突然の分岐母線の遮断によって、データが喪失するなどの不都合が生じるため、このような予告なしの分岐ブレーカの遮断は、極力避ける必要がある。
【０００４】
このような要求に対して、従来から、特許文献１に示すように、主幹ブレーカに流れる電流を検出してこの主幹ブレーカの遮断の予告を行うものがある。
【０００５】
しかしながら、このような従来装置においては、分岐母線全体の予告遮断が行われるが、各負荷回路へ給電する個々の分岐母線の電流を監視することが行われていないため、個々の分岐母線の過電流による予告遮断は行われない。
【０００６】
【特許文献１】
特開２００１−３３３５２５号公報（第３−４頁、図１）
【０００７】
【発明が解決しようとする課題】
この発明は、分岐母線の予告遮断が行えるように、分電盤における各分岐母線電流を監視することのできる分電盤の電流測定装置を安価に提供することを課題とするものである。
【０００８】
【課題を解決するための手段】
上記の課題を解決するため、この発明は、主幹ブレーカを介して系統の電源に接続された主幹母線とこの主幹母線からそれぞれ分岐ブレーカを介して負荷回路への給電を行う複数の分岐母線を備えた分電盤において、前記複数の分岐母線のそれぞれに負荷状態を検出する電流検出器と、これら複数の電流検出器の出力信号を同期信号に同期して順次１個ずつ選択して取り出す出力選択回路と、この出力選択回路から取り出されたアナログ出力信号をディジタル信号に変換するＡ／Ｄ変換回路と、このＡ／Ｄ変換回路のディジタル出力信号を前記同期信号に同期して読み込み各分岐母線に対応した記憶領域に格納するデータ処理装置とを備えたことを特徴とするものである。
【０００９】
【発明の実施の形態】
この発明の実施の形態を図に示す実施例について説明する。
【００１０】
図１は、この発明による分電盤の実施例を簡略化して示す回路構成図である。この図においてＴｓは分電盤内の主幹母線Ｂを給電系統に接続するための電源接続端子、ＭＢは、この電源接続端子Ｔｉと主幹母線Ｂとの間に接続された主幹ブレーカ、Ｆ１１〜Ｆ１ｎおよびＦ２１〜Ｆ２ｎは、それぞれ分岐ブレーカＦＢ１１〜ＦＢ１ｎおよびＦＢ２１〜ＦＢ２ｎを介してされた分岐母線、Ｔｌは分岐母線に負荷回路を接続するための負荷接続端子である。また、ＣＴ１１〜ＣＴ１ｎおよびＣＴ２１〜ＣＴ２ｎはそれぞれ分岐母線Ｆ１１〜Ｆ１ｎおよびＦ２１〜Ｆ２ｎに挿入された電流検出器であり、これらの電流検出器の検出出力はデータ処理装置ＤＰに入力され処理される。
【００１１】
データ処理装置ＤＰは、電流検出器ＣＴから入力された分岐母線Ｆの電流検出信号を読み取り、各分岐母線単位で記憶し、その値を表示器により表示し、分岐母線ごとに設定された警報設定電流値と比較演算して、分岐母線電流が警報設定値を超える場合は遮断予告の警報を発するように作用する。この警報設定電流値は、分岐ブレーカに設定されの遮断設定電流値より小さい値に選ばれている。
【００１２】
図２は、データ処理装置ＤＰの電流検出信号の読み取り手段の詳細な構成を示す。
【００１３】
この図２において、ＦＳは各分岐母線の電流を検出する電流検出器ＣＴ１１〜ＣＴ２ｎの検出出力を１個ずつ切換えて取り出すための出力選択回路であり、それぞれ電流検出器ＣＴの出力に接続された選択接点Ｓ１１〜Ｓ２ｎを備え、データ処理装置ＤＰから与えられる電流検出器の検出信号読み取りのための同期信号ＣＫにより、通常オフされている接点を１個ずつ決められた順序でオンさせるように動作する。ＡＤはアナログ信号をディジタル信号に変換するＡ／Ｄ変換回路で、入力を出力選択回路ＦＳの選択接点Ｓの共通接続点に接続され、出力選択回路ＦＳから取り出される電流検出器ＣＴのアナログの検出信号をディジタル信号に変換する。
【００１４】
ＲＳは、同期読取回路で、出力選択回路ＦＳの各開閉接点に対応して設けられた読取ゲートＧ１１〜Ｇ２ｎと、出力選択回路ＦＳに与えられる同期信号ＣＫと同じ同期信号により１個ずつ決まった順序でオンされる読取接点Ｒ１１〜Ｒ２ｎとを備え、各接点からそれぞれ対応するゲートＧへゲート信号が与えられる。また各ゲートＧの入力端に共通にＡ／Ｄ変換回路ＡＤのディジタル出力信号が加えられ、ゲートを通過したディジタル信号が電流−データとしてからそれぞれ対応する記憶装置Ｍの記憶領域Ｍ１１〜Ｍ２ｎに書き込まれる。
【００１５】
したがって、同期読取回路ＲＳおいては、各ゲートは、同期信号ＣＫにしたがって、読取接点Ｒが順次オンしてゲート信号を与えるので、出力選択回路ＦＳの対応する開閉接点Ｓが選択されてオンするのに同期して順次開となり、各分岐母線の電流検出器により検出された分岐母線電流データを順次読み取る動作が行われる。
【００１６】
さらに、ＣＰＵは、演算処理装置、ＤＳＰは表示器である。演算処理装置ＣＰＵは、記憶装置Ｍに記憶された各分岐母線の検出電流データを読み出して、そのデータの表示器ＤＳＰに表示したり、それぞれに対応して予め記憶装置の異なる記憶領域に設定記憶された警報電流設定値との比較演算を行い、検出電流データが警報設定値を超えている場合には、遮断予告の警報信号を発生し、これを表示器ＤＳＰに表示するとともに警報器を作動させるような動作を行う。
【００１７】
このように構成されたこの発明の装置においては、分岐母線のそれぞれに挿入された電流検出器ＣＴの出力それぞれに接続され出力選択回路ＦＳの選択接点Ｓが、データ処理装置ＤＰから与えられる同期信号ＣＫにしたがって１個ずつ順次一定の時間間隔でオンすることにより、検出電流の読取を行う電流検出器ＣＴが分岐母線Ｆ１１に挿入された電流検出器ＣＴ１１から順番に１個ずつ選択される。
【００１８】
例えば、分岐母線Ｆ１２に挿入された電流検出器ＣＴ１２が選択されているとすると、この電流検出器ＣＴ１２から出力される分岐母線Ｆ１２の電流Ｉ１２を示すアナログの電流検出信号Ｉ１２ａが、オンしている選択接点Ｓ１２を介して、複数の電流検出器に共通に設けられた１個のＡ／Ｄ変換回路ＡＤによりディジタルの電流信号Ｉ１２ｄに変換される。このＡ／Ｄ変換回路ＡＤから出力されるディジタルの電流信号Ｉ１２ｄは、出力選択回路ＦＳの選択接点Ｓ１２がオンしているときは、これと同期してオンしている読取接点Ｒ１２から与えられるゲート信号によって開となっている同期読取回路ＲＳのゲートＧ１２を介して読み取られて、記憶装置Ｍの分岐母線Ｆ１２の検出電流を記憶する記憶領域Ｍ１２に記憶保持される。
【００１９】
このようにして、出力選択回路ＦＳの選択接点Ｓおよび同期読取回路ＲＳの読取接点Ｒが同期信号ＣＫにより同期して順次切換え開閉されることにより、分岐母線Ｆ１１〜Ｆ２ｎの各電流検出器ＣＴ１１〜ＣＴ２ｎにより検出された各分岐母線の電流が順次時分割的にデータ処理装置ＤＰに読み取られ、記憶される。この動作を繰り返し行うことにより、データ処理装置ＤＰにはそのつどの分岐母線の電流データを保持することができる。そしてデータ処理装置ＤＰの演算処理装置ＣＰＵは、記憶装置Ｍに記憶された各分岐母線の電流値を読み取って、表示器ＤＳＰに一覧表示したり、それぞれの遮断予告警報設定値と比較演算して、その結果によって警報信号を表示するので、表示器ＤＳＰの表示から全分岐母線のその都度の電流値を監視することができ、また警報信号によって、分岐母線の分岐ブレーカＦＢによる分岐母線の遮断を事前に知ることができる。遮断予告の警報があった場合は、その分岐母線の負荷を調整して、電流を低減する操作を行うことにより、分岐母線が遮断されることを回避したり、情報機器へ停電処理を指令することができるので、分岐母線にコンピュータのような情報機器が接続されている場合でも突然の回路遮断がないので情報喪失などの不都合を解消することができるようになる。
【００２０】
【発明の効果】
この発明は、主幹ブレーカを介して系統の電源に接続された主幹母線とこの主幹母線からそれぞれ分岐ブレーカを介して負荷回路への給電を行う複数の分岐母線を備えた分電盤において、前記複数の分岐母線のそれぞれに負荷状態を検出する電流検出器と、これら複数の電流検出器の出力信号を同期信号に同期して順次１個ずつ選択して取り出す出力選択回路と、この出力選択回路から取り出されたアナログ出力信号をディジタル信号に変換するＡ／Ｄ変換回路と、このＡ／Ｄ変換回路の出力されるディジタル信号を前記同期信号に同期して読み込み各分岐母線に対応した記憶領域に格納するデータ処理装置とを備えた構成とするものであるので、多数の分岐母線の電流を個々に検出することができ、全分岐母線の電流が監視可能となる。この際、多数の分岐母線の電流をデータ処理装置に読み込むために電流検出器から出力されるアナログの電流信号を時分割的に１個のＡ／Ｄ変換器によりディジタルの電流信号に変換して読み取るようにしているので、電流検出器ごとにＡ／Ｄ変換回路設ける場合に比して構成を簡単にでき安価な装置とすることができる効果が得られる。
【図面の簡単な説明】
【図１】この発明の実施例を示す概略の回路構成図である。
【図２】この発明に用いる読取回路の実施例を示す回路構成図である。
【符号の説明】
Ｂ　　　　　　　：主幹母線
ＭＢ　　　　　　：主幹ブレーカ
Ｆ（１１〜２ｎ）　：分岐母線
ＦＢ（１１〜２ｎ）：分岐ブレーカ
ＤＰ　　　　　　：データ処理装置
ＦＳ　　　　　　：出力選択回路
ＡＤ　　　　　　：Ａ／Ｄ変換回路
ＲＳ　　　　　　：同期読取回路
Ｍ　　　　　　　：記憶装置
【図１】
2004120825.tif 000003
【図２】
2004120825.tif 000004